(57)【特許請求の範囲】
【請求項１】
ユーザ機器（ＵＥ）によって実行される無線通信の方法であって、
前記ＵＥが、
基地局と第１のチャネルで通信することと、
前記基地局が第２のチャネルまたは第３のチャネルのうちの少なくとも１つにチューニングすることと同時に、時間およびチャネルを示す、予め合意されたホップ・パターンにしたがって前記第２のチャネルへチューニングすることと、
前記第２のチャネルにおける干渉を測定することと、
前記基地局が前記第１のチャネルに再チューニングすることと同時に、前記第１のチャネルへ再チューニングすることと、
チャネル選択を可能にするために、前記干渉に基づいて、前記基地局へチャネル品質をレポートすることと、を備える方法。
【請求項２】
前記ＵＥが、前記干渉に基づいて、通信のために前記第２のチャネルを選択すること、をさらに備える請求項１に記載の方法。
【請求項３】
前記チューニングすることは、送信機と受信機との両方をチューニングすることを備える、請求項１に記載の方法。
【請求項４】
前記ＵＥが、測定のために、前記第２のチャネルにおいて基準信号を受信すること、をさらに備える請求項１に記載の方法。
【請求項５】
前記基準信号は、ダウンリンク共通基準信号である、請求項４に記載の方法。
【請求項６】
前記ＵＥが、前記第２のチャネルの信号強度を測定すること、をさらに備える請求項４に記載の方法。
【請求項７】
前記ＵＥが、前記信号強度および干渉に基づいて、通信のために前記第２のチャネルを選択すること、をさらに備える請求項６に記載の方法。
【請求項８】
前記ＵＥが、前記信号強度を前記基地局へレポートすること、をさらに備える請求項６に記載の方法。
【請求項９】
ユーザ機器（ＵＥ）によって実行される無線通信の方法であって、
前記ＵＥが、
基地局と第１のチャネルで通信することと、
時間およびチャネルを示す、予め合意されたホップ・パターンにしたがって第２のチャネルにチューニングすることと、
前記第２のチャネルにおける干渉を測定することと、
前記第１のチャネルへ再チューニングすることと、
前記干渉に基づいてチャネル品質を判定することと、
チャネル選択を可能にするために、前記基地局へ前記チャネル品質をレポートすることと、を備える方法。
【請求項１０】
前記第１のチャネルまたは第２のチャネルのうちの少なくとも１つは、ホワイト・スペース・チャネルまたは許可された共有アクセス・チャネルを含む、請求項９に記載の方法。
【請求項１１】
基地局によって実行される無線通信の方法であって、
前記基地局が、
ユーザ機器（ＵＥ）と第１のチャネルで通信することと、
前記ＵＥが第２のチャネルにチューニングすることと同時に、時間およびチャネルを示す、予め合意されたホップ・パターンにしたがって前記第２のチャネルへチューニングすることと、
前記第２のチャネルの信号強度を測定することと、
前記ＵＥが前記第１のチャネルに再チューニングすることと同時に、前記第１のチャネルへ再チューニングすることと、
前記第２のチャネルの信号強度に基づいてチャネル選択を可能にすることと、を備える方法。
【請求項１２】
前記基地局が、前記第２のチャネルの信号強度を測定するために、前記第２のチャネルにおいて基準信号を受信すること、さらに備える請求項１１に記載の方法。
【請求項１３】
無線通信のための装置であって、
メモリと、
前記メモリに接続された少なくとも１つのプロセッサとを備え、
前記少なくとも１つのプロセッサは、
基地局と第１のチャネルで通信し、
前記基地局が第２のチャネルまたは第３のチャネルのうちの少なくとも１つにチューニングすることと同時に、時間およびチャネルを示す、予め合意されたホップ・パターンにしたがって前記第２のチャネルへチューニングし、
前記第２のチャネルにおける干渉を測定し、
前記基地局が前記第１のチャネルに再チューニングすることと同時に、前記第１のチャネルへ再チューニングし、
チャネル選択を可能にするために、前記干渉に基づいて、前記基地局へチャネル品質をレポートするように構成された、装置。
【請求項１４】
前記少なくとも１つのプロセッサはさらに、前記干渉に基づいて、通信のために前記第２のチャネルを選択するように構成された、請求項１３に記載の装置。
【請求項１５】
前記少なくとも１つのプロセッサはさらに、送信機と受信機との両方をチューニングするように構成された、請求項１３に記載の装置。
【請求項１６】
前記少なくとも１つのプロセッサはさらに、測定のために前記第２のチャネルにおいて基準信号を受信するように構成された、請求項１３に記載の装置。
【請求項１７】
前記基準信号は、ダウンリンク共通基準信号である、請求項１６に記載の装置。
【請求項１８】
前記少なくとも１つのプロセッサはさらに、前記第２のチャネルの信号強度を測定するように構成された、請求項１６に記載の装置。
【請求項１９】
前記少なくとも１つのプロセッサはさらに、前記信号強度および干渉に基づいて、通信のために前記第２のチャネルを選択するように構成された、請求項１８に記載の装置。
【請求項２０】
前記少なくとも１つのプロセッサはさらに、前記信号強度を前記基地局へレポートするように構成された、請求項１８に記載の装置。
【請求項２１】
無線通信のための装置であって、
メモリと、
前記メモリに接続された少なくとも１つのプロセッサとを備え、
前記少なくとも１つのプロセッサは、
基地局と第１のチャネルで通信し、
時間およびチャネルを示す、予め合意されたホップ・パターンにしたがって第２のチャネルにチューニングし、
前記第２のチャネルにおける干渉を測定し、
前記第１のチャネルへ再チューニングし、
前記干渉に基づいてチャネル品質を判定し、
チャネル選択を可能にするために、前記基地局へ前記チャネル品質をレポートするように構成された、装置。
【請求項２２】
前記第１のチャネルまたは第２のチャネルのうちの少なくとも１つは、ホワイト・スペース・チャネルまたは許可された共有アクセス・チャネルを含む、請求項２１に記載の装置。
【請求項２３】
前記少なくとも１つのプロセッサはさらに、前記第２のチャネルの信号強度を測定するために、前記第２のチャネルにおいて基準信号を受信するように構成された、請求項２１に記載の装置。
【請求項２４】
無線通信のための装置であって、
メモリと、
前記メモリに接続された少なくとも１つのプロセッサとを備え、
前記少なくとも１つのプロセッサは、
ユーザ機器（ＵＥ）と第１のチャネルで通信し、
前記ＵＥが第２のチャネルにチューニングすることと同時に、時間およびチャネルを示す、予め合意されたホップ・パターンにしたがって前記第２のチャネルへチューニングし、
前記第２のチャネルの信号強度を測定し、
前記ＵＥが前記第１のチャネルに再チューニングすることと同時に、前記第１のチャネルへ再チューニングし、
前記第２のチャネルの信号強度に基づいてチャネル選択を可能にするように構成された、装置。
【請求項２５】
無線ネットワークにおける無線通信のためのコンピュータ実行可能命令を有する無線通信におけるコンピュータ読取可能記憶媒体において、
前記コンピュータ実行可能命令は、ユーザ機器（ＵＥ）が備えるコンピュータによって実行された場合、
前記ＵＥが、前記コンピュータに、
基地局と第１のチャネルで通信させ、
前記基地局が第２のチャネルまたは第３のチャネルのうちの少なくとも１つにチューニングすることと同時に、時間およびチャネルを示す、予め合意されたホップ・パターンにしたがって前記第２のチャネルへチューニングさせ、
前記第２のチャネルにおける干渉を測定させ、
前記基地局が前記第１のチャネルに再チューニングすることと同時に、前記第１のチャネルへ再チューニングさせ、
チャネル選択を可能にするために、前記干渉に基づいて、前記基地局へチャネル品質をレポートさせる
ためのコードを備える、コンピュータ読取可能記憶媒体。
【請求項２６】
無線ネットワークにおける無線通信のためのコンピュータ実行可能命令を有する無線通信におけるコンピュータ読取可能記憶媒体において、
前記コンピュータ実行可能命令は、ユーザ機器（ＵＥ）が備えるコンピュータによって実行された場合、
前記ＵＥが、前記コンピュータに、
基地局と第１のチャネルで通信させ、
時間およびチャネルを示す、予め合意されたホップ・パターンにしたがって第２のチャネルにチューニングさせ、
前記第２のチャネルにおける干渉を測定させ、
前記第１のチャネルへ再チューニングさせ、
前記干渉に基づいてチャネル品質を判定させ、
チャネル選択を可能にするために、前記基地局へ前記チャネル品質をレポートさせる
ためのコードを備える、コンピュータ読取可能記憶媒体。
【請求項２７】
無線ネットワークにおける無線通信のためのコンピュータ実行可能命令を有する無線通信におけるコンピュータ読取可能記憶媒体において、
前記コンピュータ実行可能命令は、基地局が備えるコンピュータによって実行された場合、
前記基地局が、前記コンピュータに、
ユーザ機器（ＵＥ）と第１のチャネルで通信させ、
前記ＵＥが第２のチャネルにチューニングすることと同時に、時間およびチャネルを示す、予め合意されたホップ・パターンにしたがって前記第２のチャネルへチューニングさせ、
前記第２のチャネルの信号強度を測定させ、
前記ＵＥが前記第１のチャネルに再チューニングすることと同時に、前記第１のチャネルへ再チューニングさせ、
前記第２のチャネルの信号強度に基づいてチャネル選択を可能にさせる
ためのコードを備える、コンピュータ読取可能記憶媒体。
【請求項２８】
無線通信のための装置であって、
基地局と第１のチャネルで通信する手段と、
前記基地局が第２のチャネルまたは第３のチャネルのうちの少なくとも１つにチューニングすることと同時に、時間およびチャネルを示す、予め合意されたホップ・パターンにしたがって前記第２のチャネルへチューニングする手段と、
前記第２のチャネルにおける干渉を測定する手段と、
前記基地局が前記第１のチャネルに再チューニングすることと同時に、前記第１のチャネルへ再チューニングする手段と、
チャネル選択を可能にするために、前記干渉に基づいて、前記基地局へチャネル品質をレポートする手段と、を備える装置。
【請求項２９】
無線通信のための装置であって、
基地局と第１のチャネルで通信する手段と、
時間およびチャネルを示す、予め合意されたホップ・パターンにしたがって第２のチャネルにチューニングする手段と、
前記第２のチャネルにおける干渉を測定する手段と、
前記第１のチャネルへ再チューニングする手段と、
前記干渉に基づいてチャネル品質を判定する手段と、
チャネル選択を可能にするために、前記基地局へ前記チャネル品質をレポートする手段と、を備える装置。
【請求項３０】
無線通信のための装置であって、
ユーザ機器（ＵＥ）と第１のチャネルで通信する手段と、
前記ＵＥが第２のチャネルにチューニングすることと同時に、時間およびチャネルを示す、予め合意されたホップ・パターンにしたがって前記第２のチャネルへチューニングする手段と、
前記第２のチャネルの信号強度を測定する手段と、
前記ＵＥが前記第１のチャネルに再チューニングすることと同時に、前記第１のチャネルへ再チューニングする手段と、
前記第２のチャネルの信号強度に基づいてチャネル選択を可能にする手段と、を備える装置。
【発明の詳細な説明】
【関連出願に対する相互参照】
【０００１】
本願は、２０１１年７月１日に出願された、「測定のために同期されたアップリンク・ダウンリンク・ホップ」（SYNCHRONIZED UPLINK-DOWNLINK HOP FOR MEASUREMENTS）と題された米国仮特許出願６１／５０４，０８３号に対する３５Ｕ．Ｓ．Ｃ．§１１９（ｅ）の下の利益を主張する。この出願の内容は、その全体が本明細書において参照によって組み込まれている。
【技術分野】
【０００２】
本開示のある態様は、一般に、無線通信システムに関し、さらに詳しくは、同期されたアップリンク・ダウンリンク・ホップ測定に関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００５】
１つの態様では、無線通信の方法が開示される。この方法は、基地局と第１のチャネルで通信することと、基地局が第２のチャネルまたは第３のチャネルにチューニングすることと同時に、第２のチャネルへチューニングすることと、を含む。この方法はまた、第２のチャネルにおける干渉を測定することを含む。この方法はさらに、基地局が第１のチャネルに再チューニングすることと同時に、第１のチャネルへ再チューニングすることを含む。さらに、この方法は、チャネル選択を可能にするために、干渉に基づいて、基地局へチャネル品質をレポートすることを含む。
【０００６】
基地局と第１のチャネルで通信することを含む、無線通信の方法の別の態様が開示される。この方法はまた、第２のチャネルにチューニングすることと、第２のチャネルにおける干渉を測定することと、を含む。この方法はさらに、第１のチャネルへ再チューニングすることと、干渉に基づいてチャネル品質を判定することと、を含む。さらに、この方法は、チャネル選択を可能にするために、基地局へチャネル品質をレポートすることを含む。
【０００７】
ユーザ機器（ＵＥ）と第１のチャネルで通信することを含む、無線通信の方法のさらに別の態様が開示される。この方法は、ＵＥが第２のチャネルにチューニングすることと同時に、第２のチャネルへチューニングすることを含む。この方法はさらに、第２のチャネルの信号強度を測定することを含む。この方法はさらに、ＵＥが第１のチャネルに再チューニングすることと同時に、第１のチャネルへ再チューニングすることを含む。さらに、この方法は、第２のチャネルの信号強度に基づいてチャネル選択を可能にすることを含む。
【０００８】
別の態様では、メモリと、メモリに接続された少なくとも１つのプロセッサとを有する、無線通信が開示される。プロセッサ（単数または複数）は、基地局と第１のチャネルで通信し、基地局が第２のチャネルまたは第３のチャネルにチューニングすることと同時に、第２のチャネルへチューニングするように構成される。プロセッサ（単数または複数）はまた、第２のチャネルにおける干渉を測定するように構成される。プロセッサ（単数または複数）は、基地局が第１のチャネルに再チューニングすることと同時に、第１のチャネルへ再チューニングするように構成される。さらに、プロセッサ（単数または複数）は、チャネル選択を可能にするために、干渉に基づいて、基地局へチャネル品質をレポートするように構成される。
【０００９】
別の態様は、基地局と第１のチャネルで通信するように構成されたプロセッサ（単数または複数）を開示する。このプロセッサ（単数または複数）は、第２のチャネルにチューニングし、第２のチャネルにおける干渉を測定するように構成される。このプロセッサ（単数または複数）はまた、第１のチャネルへ再チューニングし、干渉に基づいてチャネル品質を判定するように構成される。このプロセッサ（単数または複数）はさらに、チャネル選択を可能にするために、基地局へチャネル品質をレポートするように構成される。
【００１０】
別の態様は、ユーザ機器（ＵＥ）と第１のチャネルで通信するように構成される。プロセッサ（単数または複数）は、ＵＥが第２のチャネルにチューニングすることと同時に、第２のチャネルへチューニングするように構成される。プロセッサ（単数または複数）はまた、第２のチャネルの信号強度を測定するように構成される。このプロセッサ（単数または複数）はさらに、ＵＥが第１のチャネルに再チューニングすることと同時に、第１のチャネルへ再チューニングするように構成される。さらに、プロセッサ（単数または複数）は、第２のチャネルの信号強度に基づいて、チャネル選択を可能にするように構成される。
【００１１】
別の態様では、非一時的なコンピュータ読取可能な媒体を有する無線ネットワークにおける無線通信のためのコンピュータ・プログラム製品が開示される。コンピュータ読取可能な媒体は、プロセッサ（単数または複数）によって実行された場合に、プロセッサ（単数または複数）に対して、動作を実行させる、記録されたプログラム・コードを有する。このプログラム・コードは、基地局と第１のチャネルで通信するためのプログラム・コードを含む。このプログラム・コードはまた、基地局が第２のチャネルまたは第３のチャネルにチューニングすることと同時に、第２のチャネルへチューニングするためのプログラム・コードを含む。このプログラム・コードさらに、第２のチャネルにおける干渉を測定するためのプログラム・コードを含む。このプログラム・コードさらに、基地局が第１のチャネルに再チューニングすることと同時に、第１のチャネルへ再チューニングするためのプログラム・コードを含む。さらに、このプログラム・コードは、チャネル選択を可能にするために、干渉に基づいて、基地局へチャネル品質をレポートするためのプログラム・コードを含む。
【００１２】
別の態様は、非一時的なコンピュータ読取可能な媒体を有する、無線ネットワークにおける無線通信のためのコンピュータ・プログラム製品を開示する。コンピュータ読取可能な媒体は、プロセッサ（単数または複数）によって実行された場合に、プロセッサ（単数または複数）に対して、動作を実行させるための、記録されたプログラム・コードを有する。このプログラム・コードは、基地局と第１のチャネルで通信するためのプログラム・コードを含む。このプログラム・コードはまた、第２のチャネルにチューニングし、第２のチャネルにおける干渉を測定するためのプログラム・コードを含む。このプログラム・コードさらに、第１のチャネルへ再チューニングし、干渉に基づいてチャネル品質を判定するためのプログラム・コードを含む。さらに、このプログラム・コードは、チャネル選択を可能にするために、基地局へチャネル品質をレポートするためのプログラム・コードを含む。
【００１３】
さらに別の態様は、非一時的なコンピュータ読取可能な媒体を有する、無線ネットワークにおける無線通信のためのコンピュータ・プログラム製品を開示する。コンピュータ読取可能な媒体は、プロセッサ（単数または複数）によって実行された場合に、プロセッサ（単数または複数）に対して、動作を実行させるための、記録されたプログラム・コードを有する。このプログラム・コードは、ユーザ機器（ＵＥ）と第１のチャネルで通信するためのプログラム・コードを含む。このプログラム・コードはまた、ＵＥが第２のチャネルにチューニングすることと同時に、第２のチャネルへチューニングするためのプログラム・コードを含む。このプログラム・コードは、第２のチャネルの信号強度を測定するためのプログラム・コードを含む。プログラム・コードはさらに、ＵＥが第１のチャネルに再チューニングすることと同時に、第１のチャネルへ再チューニングするためのプログラム・コードを含む。さらに、プログラム・コードは、第２のチャネルの信号強度に基づいてチャネル選択を可能にするためのプログラム・コードを含む。
【００１４】
別の態様では、基地局と第１のチャネルで通信するための手段を含む、無線通信のための装置が開示される。この装置はまた、基地局が第２のチャネルまたは第３のチャネルにチューニングすることと同時に、第２のチャネルへチューニングする手段を含む。この装置は、第２のチャネルにおける干渉を測定する手段を含む。この装置はさらに、基地局が第１のチャネルに再チューニングすることと同時に、第１のチャネルへ再チューニングする手段を含む。さらに、この装置は、チャネル選択を可能にするために、干渉に基づいて、基地局へチャネル品質をレポートする手段を含む。
【００１５】
別の態様は、基地局と第１のチャネルで通信する手段と、第２のチャネルにチューニングする手段と、を含む装置を開示する。この装置はまた、第２のチャネルにおける干渉を測定する手段を含む。この装置はさらに、第１のチャネルへ再チューニングする手段と、干渉に基づいてチャネル品質を判定する手段と、を含む。さらに、この装置は、チャネル選択を可能にするために、基地局へチャネル品質をレポートする手段を含む。
【００１６】
さらに別の態様は、ユーザ機器（ＵＥ）と第１のチャネルで通信する手段を含む装置を開示する。この装置は、ＵＥが第２のチャネルにチューニングすることと同時に、第２のチャネルへチューニングする手段を含む。この装置は、第２のチャネルの信号強度を測定する手段を含む。この装置はさらに、ＵＥが第１のチャネルに再チューニングすることと同時に、第１のチャネルへ再チューニングする手段を含む。さらに、この装置は、第２のチャネルの信号強度に基づいてチャネル選択を可能にする手段を含む。
【００１７】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１８】
本開示の特徴、特性、および利点は、同一の参照符号が全体を通じて同一物を特定している図面とともに考慮された場合、以下に記載する詳細な記載からより明らかになるだろう。
【図１】図１は、ネットワーク・アーキテクチャの例を例示する図解である。
【図２】図２は、アクセス・ネットワークの例を例示する図解である。
【図３】図３は、ＬＴＥにおけるダウンリンク・フレーム構造の例を例示する図解である。
【図４】図４は、ＬＴＥにおけるアップリンク・フレーム構造の例を例示する図解である。
【図５】図５は、ユーザ・プレーンおよび制御プレーンのためのラジオ・プロトコル・アーキテクチャの例を例示する図解である。
【図６】図６は、アクセス・ネットワークにおけるイボルブド・ノードＢおよびユーザ機器の例を例示する図解である。
【図７Ａ】図７Ａは、同期されたアップリンク・ダウンリンク・ホップ測定のための方法を例示したブロック図である。
【図７Ｂ】図７Ｂは、同期されたアップリンク・ダウンリンク・ホップ測定のための方法を例示したブロック図である。
【図７Ｃ】図７Ｃは、同期されたアップリンク・ダウンリンク・ホップ測定のための方法を例示したブロック図である。
【図８】図８は、典型的なＵＥ装置における別のモジュール／手段／構成要素を例示するブロック図である。
【図９】図９は、典型的な基地局装置における別のモジュール／手段／構成要素を例示するブロック図である。
【発明を実施するための形態】
【００１９】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００２０】
通信システムの態様が、さまざまな装置および方法に関して示される。これらの装置および方法は、以下の詳細説明に記載され、さまざまなブロック、モジュール、構成要素、回路、ステップ、処理、アルゴリズム等（集合的に「要素」と称される）によって添付図面中に例示されている。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００２１】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。
【００２２】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）（登録商標）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。
【００２３】
図１は、ＬＴＥネットワーク・アーキテクチャ１００を例示する図解である。ＬＴＥネットワーク・アーキテクチャ１００は、イボルブド・パケット・システム（ＥＰＳ）１００と称されうる。ＥＰＳ１００は、１または複数のユーザ機器（ＵＥ）１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００２４】
Ｅ−ＵＴＲＡＮは、イボルブドノードＢ（ｅノードＢ）１０６およびその他のｅノードＢ１０８を含む。ｅノードＢ１０６は、ＵＥ１０２に向かうユーザ・プレーン・プロトコルおよび制御プレーン・プロトコルの終了を提供する。ｅノードＢ１０６は、Ｘ２インタフェース（例えば、バックホール）を経由して他のｅノードＢ１０８に接続されうる。ｅノードＢ１０６はまた、基地局、基地トランシーバ局、ラジオ基地局、ラジオ・トランシーバ、トランシーバ機能、基本サービスセット（ＢＳＳ）、拡張サービス・セット（ＥＳＳ）、またはその他適切な用語で称されうる。ｅノードＢ１０６は、ＵＥ１０２のために、ＥＰＣ１１０へのアクセス・ポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他の類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００２５】
ｅノードＢ１０６は、Ｓ１インタフェースによってＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含んでいる。
【００２６】
図２は、ＬＴＥネットワーク・アーキテクチャにおけるアクセス・ネットワーク２００の例を例示する図解である。この例では、アクセス・ネットワーク２００は、多くのセルラ領域（セル）２０２に分割される。１または複数の低電力クラスｅノードＢ２０８は、セル２０２の１または複数とオーバラップするセルラ領域２１０を有しうる。低電力クラスｅノードＢ２０８は、遠隔ラジオ・ヘッド（ＲＲＨ）と称されうる。低電力クラスｅノードＢ２０８は、フェムト・セル（例えば、ホームｅノードＢ（ＨｅノードＢ））、ピコ・セル、またはミクロ・セルでありうる。マクロｅノードＢ２０４はおのおの、それぞれのセル２０２に割り当てられ、セル２０２内のすべてのＵＥ２０６のためのＥＰＣ１１０にアクセス・ポイントを提供するように構成される。アクセス・ネットワーク２００のこの例では、中央コントローラは存在しないが、別の構成では、中央コントローラが使用されうる。ｅノードＢ２０４は、ラジオ・ベアラ制御、許可制御、モビリティ制御、スケジューリング、セキュリティ、および、サービス提供ゲートウェイ１１６への接続を含むすべてのラジオ関連機能を担当する。
【００２７】
アクセス・ネットワーク２００によって適用される変調および多元接続スキームは、展開されている特定の通信規格に依存して変わりうる。ＬＴＥアプリケーションでは、周波数分割多重（ＦＤＤ）と時分割多重（ＴＤＤ）との両方をサポートするために、ＯＦＤＭがダウンリンクで使用され、ＳＣ−ＦＤＭＡがアップリンクで使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２８】
ｅノードＢ２０４は、ＭＩＭＯ技術をサポートする複数のアンテナを有しうる。ＭＩＭＯ技術を使用することによって、ｅノードＢ２０４は、空間多重化、ビームフォーミング、および送信ダイバーシティをサポートする空間領域を開発できるようになる。空間多重化は、同じ周波数で、異なるデータ・ストリームを同時に送信するために使用されうる。データ・ストリームは、データ・レートを高めるために単一のＵＥ２０６へ、全体的なシステム容量を高めるために複数のＵＥ２０６へ、送信されうる。これは、各データ・ストリームを空間的にプリコードし（すなわち、振幅およびフェーズのスケーリングを適用し）、空間的にプリコードされた各ストリームを、ダウンリンクで、複数の送信アンテナを介して送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６のために指定された１または複数のデータ・ストリームを復元できるようになる。アップリンクでは、おのおののＵＥ２０６が、空間的にプリコードされたデータ・ストリームを送信する。これによって、ｅノードＢ２０４は、空間的にプリコードされた各データ・ストリームのソースを識別できるようになる。
【００２９】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部における良好な有効通信範囲を達成するために、単一のストリーム・ビームフォーミング送信が、送信ダイバーシティと組み合わされて使用されうる。
【００３０】
以下に続く詳細説明では、アクセス・ネットワークのさまざまな態様が、ダウンリンクでＯＦＤＭをサポートするＭＩＭＯシステムに関して記載されるだろう。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００３１】
図３は、ＬＴＥにおけるダウンリンク・フレーム構造の例を例示する図解３００である。フレーム（１０ミリ秒）が、等しいサイズの１０のサブフレームに分割されうる。おのおののサブ・フレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。リソース要素のうちのいくつかは、Ｒ３０２，３０４として示されるように、ダウンリンク基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ダウンリンク共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００３２】
図４は、ＬＴＥにおけるアップリンク・フレーム構造の例を例示ずる図解４００である。アップリンクのために利用可能なリソース・ブロックは、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。アップリンク・フレーム構造の結果、連続したサブキャリアを含むデータ選択となる。これによって、データ・セクション内の連続したサブキャリアのすべてが単一のＵＥに割り当てられるようになる。
【００３３】
ＵＥは、制御情報をｅノードＢへ送信するために、制御セクションにリソース・ブロック４１０ａ，４１０ｂを割り当てられうる。ＵＥはまた、ｅノードＢにデータを送信するために、データ・セクションにリソース・ブロック４２０ａ，４２０ｂを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットにおよび、周波数を越えてホップしうる。
【００３４】
初期システム・アクセスの実行、および、物理ランダム・アクセス・チャネル（ＰＲＡＣＨ）４３０におけるアップリンク同期の達成のために、リソース・ブロックのセットが使用されうる。ＰＲＡＣＨ４３０は、ランダム・シーケンスを伝送し、いかなるアップリンク・データ／シグナリングも伝送できない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブフレームのシーケンスで伝送されうる。そして、ＵＥは、フレーム（１０ミリ秒）毎に１回のＰＲＡＣＨ試行しか行わないことがある。
【００３５】
図５は、ＬＴＥにおけるユーザ・プレーンおよび制御プレーンのためのラジオ・プロトコル・アーキテクチャの例を例示する図解である。ＵＥおよびｅノードＢのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６の上にあり、物理レイヤ５０６上におけるＵＥとｅノードＢとの間のリンクを担当する。
【００３６】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅノードＢにおいて終了する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００３７】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのヘッダ圧縮、データ・パケットを暗号化することによるセキュリティ、および、ＵＥのｅノードＢ間のハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００３８】
制御プレーンでは、ＵＥおよびｅノードＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ｅノードＢとＵＥとの間のＲＲＣシグナリングを用いて下部レイヤを設定することと、を担当する。
【００３９】
図６は、アクセス・ネットワークにおいてＵＥ６５０と通信するｅノードＢ６１０のブロック図である。ダウンリンクでは、コア・ネットワークからの上部レイヤ・パケットが、コントローラ／プロセッサ６７５に提供される。コントローラ／プロセッサ６７５は、Ｌ２レイヤの機能を実現する。ダウンリンクでは、コントローラ／プロセッサ６７５は、さまざまな優先度判定基準に基づいて、ヘッダ圧縮、暗号化、パケット・セグメント化および並べ替え、論理チャネルと伝送チャネルとの間の多重化、および、ＵＥ６５０へのラジオ・リソース割当を提供する。さらに、コントローラ／プロセッサ６７５はまた、ＨＡＲＱ動作、喪失パケットの再送信、およびＵＥ６５０へのシグナリングを担当する。
【００４０】
ＴＸプロセッサ６１６は、Ｌ１レイヤ（すなわち、物理レイヤ）のためのさまざまな信号処理機能を実施する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてラジオ周波数キャリアを変調する。
【００４１】
ＵＥ６５０では、おのおのの受信機６５４ＲＸが、それぞれのアンテナ６５２を介して信号を受信する。おのおのの受信機６５４ＲＸは、ラジオ周波数キャリアへ変調された情報を復元し、この情報を、受信機（ＲＸ）データ・プロセッサ６５６へ提供する。ＲＸプロセッサ６５６は、Ｌ１レイヤのさまざまな信号処理機能を実施する。ＲＸプロセッサ６５６は、この情報に対して空間処理を実行し、ＵＥ６５０のために向けられた任意の空間ストリームを復元する。複数の空間ストリームが、ＵＥ６５０に向けられている場合、これらは、ＲＸデータ・プロセッサ６５６によって、単一のＯＦＤＭシンボル・ストリームへ結合されうる。ＲＸプロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅノードＢ６１０によって送信された最も可能性の高いコンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅノードＢ６１０によって送信されたオリジナルのデータおよび制御信号が復元される。データ信号および制御信号はその後、コントローラ／プロセッサ６５９へ提供される。
【００４２】
コントローラ／プロセッサ６５９は、Ｌ２レイヤを実現する。コントローラ／プロセッサは、プログラム・コードおよびデータを格納するメモリ６６０に関連付けられうる。メモリ６６０は、コンピュータ読取可能な媒体と称されうる。アップリンクでは、制御／プロセッサ６５９が、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク６６２へ提供される。Ｌ３処理のためにも、データ・シンク６６２へさまざまな制御信号が提供されうる。コントローラ／プロセッサ６５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００４３】
アップリンクでは、コントローラ／プロセッサ６５９に上部レイヤ・パケットを提供するためにデータ・ソース６６７が使用される。データ・ソース６６７は、Ｌ２レイヤ上のすべてのプロトコル・レイヤを表す。ｅノードＢ６１０によるダウンリンク送信に関して記載された機能と同様に、コントローラ／プロセッサ６５９は、ヘッダ圧縮、暗号化、パケット・セグメント化および並べ替え、および、ｅノードＢ６１０によるラジオ・リソース割当に基づく論理チャネルと伝送チャネルとの間の多重化を提供することによって、ユーザ・プレーンおよび制御プレーンのためのＬ２レイヤを実現する。コントローラ／プロセッサ６５９はまた、ＨＡＲＱ動作、喪失パケットの再送信、および、ｅノードＢ６１０へのシグナリングをも担当する。
【００４４】
ｅノードＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸデータ・プロセッサ６６８によって使用されうる。ＴＸデータ・プロセッサ６６８によって生成された空間ストリームは、個別の送信機６５４ＴＸを介して別のアンテナ６５２に提供される。おのおのの送信機６５４ＴＸは、送信のために、それぞれの空間ストリームを用いてラジオ周波数キャリアを変調する。
【００４５】
アップリンク送信は、ＵＥ６５０における受信機機能に関して記述されたものに類似した方式で、ｅノードＢ６１０において処理される。おのおのの受信機６１８ＲＸは、それぞれのアンテナ６２０を介して信号を受信する。おのおのの受信機６１８ＲＸは、ラジオ周波数キャリアへ変調された情報を復元し、この情報を、ＲＸデータ・プロセッサ６７０へ提供する。ＲＸプロセッサ６７０は、Ｌ１レイヤを実現しうる。
【００４６】
コントローラ／プロセッサ６７５は、Ｌ２レイヤを実現する。コントローラ／プロセッサ６７５は、プログラム・コードおよびデータを格納するメモリ６７６に関連付けられうる。メモリ６７６は、コンピュータ読取可能な媒体と称されうる。アップリンクでは、制御／プロセッサ６７５が、ＵＥ６５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ６７５からの上部レイヤ・パケットは、コア・ネットワークへ提供されうる。コントローラ／プロセッサ６７５はまた、ＡＣＫおよび／またはＮＡＣＫプロトコルを用いて、誤り検出を担当する。
【００４７】
複数のダウンリンク・チャネルが利用可能であるネットワークにおける通信システムでは、ｅノードＢ６１０のためのラジオ周波数トランシーバの数は、利用可能なチャネルの数未満でありうる。例えば、無線通信ネットワーク１００は、ライセンスされたスペクトルに加えて、多くの狭いチャネルを有するホワイト・スペース周波数からなる広いスペクトルを含みうる。ホワイト・スペース・ネットワークまたは認識（cognitive）ラジオ・ネットワークは、テレビジョン・ホワイト・スペース（ＴＶＷＳ）チャネルを含みうるか、または、許可された共有アクセス（ＡＳＡ）ネットワークに適合しうる。したがって、トランシーバの数が制限されている結果として、ｅノードＢ６１０は、周波数選択モジュールを含みうる。
【００４８】
一般に、ＵＥ６５０は、単一の受信機しか有していないと仮定されている。さらに、チャネル選択は、ＵＥがレポートした測定値に基づくと仮定されうる。
【００４９】
無線通信ネットワークでは、ＵＥ６５０とｅノードＢ６１０との間の通信のために、周波数のあるセットがライセンスされる。これらの周波数は、ホワイト・スペース周波数またはＡＳＡ周波数を含みうる。したがって、ＵＥ６５０は、１つの周波数から別の周波数へ移動し、この周波数において測定を行い、既存の信号に基づいて、動作するための周波数を選択することができうる。例えば、ＵＥ６５０は、最高のチャネル品質を有する周波数で動作することを決定しうる。すなわち、ＵＥ６５０は、現在の周波数における干渉によって、１つの周波数から別の周波数に移動しうる。周波数という用語は、チャネルと称されうることが注目されるべきでありうる。
【００５０】
いくつかの態様では、利用可能であるがｅノードＢ６１０によって現在使用されていないチャネルを測定することが望まれうる。例えば、ｅノードＢ６１０はダウンリンク周波数を切り換えうる一方、ｅノードＢ６１０は、新たなチャネルでは利用不可能でありうる。なぜなら、ｅノードＢ６１０は、複数の（すなわち、十分な）ダウンリンク周波数またはチャネルで同時に送信しないからである。この態様では、ＵＥ６５０は、現在未使用のチャネルの周波数間測定のために、ブロードキャスト信号（例えば、ＬＴＥ一次同期信号（ＰＳＳ）／二次同期信号（ＳＳＳ）、共通基準信号（ＣＲＳ）等）を発見できない場合がありうる。したがって、ｅノードＢ６１０が信号をブロードキャストしていないのであれば、セルが検出されず、基準信号受信電力（ＲＳＲＰ）が測定されない場合がありうる。
【００５１】
本開示のいくつかの態様では、ｅノードＢ６１０において、周波数間測定を実行し、この周波数間測定値を用いるための方法が開示される。提案された方法は、干渉条件を検出し、異なるチャネルを比較するために望まれうる。
【００５２】
いくつかの態様では、ＵＥ６５０は、ｅノードＢ６１０が動作していないチャネルにおける干渉を測定するように構成されうる。この態様では、ｅノードＢ６１０からの信号は測定されない。さらに、本態様によれば、干渉を測定するために受信機（ＵＥ６５０）のみが、新たなチャネルへチューニングしうる。送信機（ｅノードＢ６１０）は、新たなチャネルへチューニングしない。
【００５３】
このような周波数間測定は、例えば、ｅノードＢ６１０が現在のチャネルで送信しており、新たなチャネルが現在のチャネルと同様の周波数を有する場合に有益でありうる。その結果、現在のチャネルにおける信号強度、および、新たなチャネルにおける信号強度は、潜在的に類似しうる。この態様では、新たなチャネルの信号強度を測定することは有益ではないかもしれないが、新たなチャネルで干渉を測定することは有益となるであろう。すなわち、新たなチャネルと現在のチャネルとの信号強度が類似していようとも、現在のチャネルにおける干渉は、新たなチャネルの干渉と比べて異なりうる。例えば、ＷＬＡＮアクセス・ポイントは、現在のチャネルで動作し、新たなチャネルで動作しない場合がありうる。
【００５４】
干渉を検出し、信号強度を測定しない、提案された方法は、経路喪失、アンテナ利得、および／または、有効送信電力が、別のチャネルにおいて同等である場合に干渉条件を検出するために有益でありうる。受信機では、スケジュールされたまたは自律的なギャップが使用され、もって、これらスケジュールされたまたは自律的なギャップは、送信機にインパクトを与えないので、提案された方法はまた有益でありうる。さらに、この提案された方法では、チャネル推定がないので、チャネル獲得の目的のための周波数変更（例えば、自動利得制御、周波数トラッキング等の安定化）後、いくつかの遅れが生じうる。したがって、前述した遅れは、新たなチャネルにおける測定をスケジューリングする場合のために考慮されねばならない。
【００５５】
いくつかの態様では、新たなチャネルにおいて信号強度と干渉との両方を測定することが所望されうる。例えば、現在のチャネルと新たなチャネルの周波数が遠く離れている場合、または、ｅノードＢ６１０が、現在のチャネルおよび新たなチャネルにおいて、異なるハードウェアと、潜在的に異なる送信電力とを用いる場合、干渉および信号強度が、新たなチャネルで測定されうる。ｅノードＢ６１０が、これらの違いを補正することができない場合、信号強度および干渉の実際の測定値が所望されうる。
【００５６】
信号強度と干渉との両方を測定することによって、複数の周波数で利用可能な同時チャネル推定を伴う実質的に瞬間的な切り換えが可能となりうる。いくつかの態様では、信号強度と干渉とが、ダウンリンク・チャネルとアップリンク・チャネルとの両方について測定されうる。
【００５７】
信号は、基準信号受信電力（ＲＳＲＰ）および基準信号受信品質（ＲＳＲＱ）に基づいて測定されうる。ＲＳＲＰは、単一のｅノードＢ６１０について検出されたｅノードＢ信号電力でありうる。そして、ＲＳＲＱは、受信合計電力によって除された、単一のｅノードＢ６１０について検出された信号電力でありうる。基準信号は、アップリンク・サウンディング基準信号（ＵＬ−ＳＲＳ）またはダウンリンク共通基準信号（ＤＬ−ＣＲＳ）でありうる。
【００５８】
複数のチャネルを測定するために、ｅノードＢ６１０およびＵＥ６５０は、おのおのがチューニングするであろうチャネルを調整しうる。例えば、予め合意されたホップ・パターンは、チャネルと、おのおののチャネルにチューニングするための時間とを示しうる。したがって、ＵＥ６５０とｅノードＢ６１０との両方が新たなチャネルへチューニングする場合、この新たなチャネルの干渉と信号強度との両方についての測定がなされうる。この処理は、複数のチャネルのために繰り返されうる。
【００５９】
いくつかの態様では、現在のチャネルから新たなチャネルへのホップ・パターンは、静的に設定されたホップ・パターンでありうる。これによって、ｅノードＢ６１０およびＵＥ６５０は、新たなチャネルへのホップを同期させうる。すなわち、ｅノードＢ６１０およびＵＥ６５０は、予め合意されたチャネルに基づいて、新たなチャネルへ同時にチューニングしうる。そして、現在のチャネルへ同時に再チューニングしうる。したがって、同期または事前合意によって、ＵＥ６５０は、送信前に新たなチャネルを獲得するために、最小時間しか費やさないか、あるいは、まったく時間を費やさない。なぜなら、新たなチャネルにおける信号タイミングおよび周波数は、現在のチャネルで受信された信号に基づいて、移動局によって良好に推定されうるからである。
【００６０】
１つの構成では、現在のサービス提供チャネルに関わらず、同じホップ・パターンがすべてのＵＥへ適用される。いくつかの態様では、例えばＴＤＤ構成のような、アップリンク／ダウンリンク構成において異なるサブフレームを用いて受信機と送信機との両方を再チューニングするために、ＵＥ６５０とｅノードＢ６１０との両方が、同じホップ・パターンにしたがいうる。
【００６１】
ＵＥ６５０およびｅノードＢ６１０は、新たなチャネルの品質を推定することを可能にするために、短い基準信号を送信しうる。短い基準信号は、例えば、５ミリ秒毎に一度送信される規則的な獲得信号とは異なり、サウンディング基準信号（ＳＲＳ）と同等でありうる。新たなチャネルの信号強度測定と干渉測定とは同時になされうる。現在の態様によれば、ＵＥ６５０は、良好な周波数および時間同期を仮定し、現在のサービス提供セルの信号のみを探索するので、ｅノードＢ６１０は、同期信号を送信する必要はない。
【００６２】
各ホップは、３００ミリ秒のチューニング・アウェイ、４００ミリ秒の測定、および３００ミリ秒のチューニング・バックを含む１ミリ秒のオーバヘッドを有しうる。いくつかの態様では、ホップ時間は、より短い。例えば、ホップ時間は、マルチメディア・ブロードキャスト・オーバ・シングル周波数ネットワーク（ＭＢＳＦＮ）サブフレームが使用されている場合、１ミリ秒未満でありうる。
【００６３】
図７Ａ−７Ｃは、無線通信のための方法を例示するブロック図である。処理７０１，７０２は、図６のＵＥ６５０で実施されうる。図７Ａに例示されるように、処理７００は、ＵＥが現在の第１のチャネルで基地局と通信することによってブロック７１０で始まる。ブロック７１１では、基地局が第２のチャネルまたは第３のチャネルにチューニングするのと同時に、ＵＥが第２のチャネルにチューニングする。ブロック７１２では、ＵＥが、第２のチャネルにおける干渉を測定する。次に、ブロック７１３では、基地局が第１のチャネルに再チューニングするのと同時に、ＵＥが第１のチャネルへ再チューニングする。ブロック７１４では、チャネル選択を可能にするために、ＵＥが、干渉に基づいて、基地局へチャネル品質をレポートする。
【００６４】
図７Ｂは、ブロック７２０においてＵＥが第１のチャネルで基地局と通信する処理７０２を例示する。ブロック７２１では、ＵＥが、第２のチャネルへチューニングする。ブロック７２２では、ＵＥが、第２のチャネルにおける干渉を測定する。ブロック７２３では、ＵＥが、第１のチャネルへ再チューニングする。ブロック７２４では、ＵＥが、干渉に基づいてチャネル品質を判定する。ブロック７２５では、チャネル選択を可能にするために、ＵＥが、基地局へチャネル品質をレポートする。
【００６５】
図７Ｃに例示される処理７０３は、図６の基地局６１０において実施されうる。ブロック７３０では、基地局が、第１のチャネルでＵＥと通信する。ブロック７３１では、ＵＥが第２のチャネルへチューニングするのと同時に、基地局が第２のチャネルへチューニングする。ブロック７３２では、基地局が、第２のチャネルにおける信号強度を測定する。ブロック７３３では、ＵＥが第１のチャネルへ再チューニングするのと同時に、基地局が第１のチャネルへ再チューニングする。ブロック７３４では、基地局は、第２のチャネルの信号強度に基づいて、チャネル選択を可能にする。
【００６６】
１つの構成では、基地局と第１のチャネルで通信する手段を含むＵＥ６５０が、無線通信のために構成される。１つの態様では、通信する手段は、通信する手段によって詳述された機能を実行するように構成された受信プロセッサ６５６、送信プロセッサ６６８、受信機／送信機４５４、コントローラ／プロセッサ６５９、メモリ６６０、および／またはアンテナ６５２でありうる。ＵＥ６５０はまた、チューニングする手段をも含むように構成される。１つの態様では、チューニングする手段は、チューニングする手段によって詳述された機能を実行するように構成されたアンテナ６５２、コントローラ／プロセッサ６５９、および／またはメモリ６６０でありうる。ＵＥ６５０はまた、測定する手段をも含むように構成される。１つの態様では、測定する手段は、測定する手段によって詳述された機能を実行するように構成された受信プロセッサ６５６、アンテナ６５２、コントローラ／プロセッサ６５９、および／またはメモリ６６０でありうる。ＵＥ６５０はまた、再チューニングする手段をも含むように構成される。１つの態様では、再チューニングする手段は、再チューニングする手段によって詳述された機能を実行するように構成されたコントローラ／プロセッサ６５９、アンテナ６５２、および／またはメモリ６６０でありうる。ＵＥ６５０はまた、レポートする手段をも含むように構成される。１つの態様では、レポートする手段は、レポートする手段によって詳述された機能を実行するように構成された送信プロセッサ６６８、送信機６５４、コントローラ／プロセッサ６５９、メモリ６６０、および／またはアンテナ６５２でありうる。オプションとして、ＵＥ６５０はまた、チャネル品質を判定する手段をも含むように構成される。１つの態様では、判定する手段は、測定する手段によって詳述された機能を実行するように構成されたコントローラ／プロセッサ６５９および／またはメモリ６６０でありうる。別の態様では、前述した手段は、前述した手段によって記載された機能を実行するように構成されたモジュールまたは任意の装置でありうる。
【００６７】
１つの構成では、第１のチャネルでＵＥと通信する手段を含む、無線通信のためのｅノードＢ６１０が構成される。１つの態様では、通信する手段は、通信する手段によって詳述された機能を実行するように構成された受信プロセッサ６７０、送信プロセッサ６１６、受信機／送信機６１８、コントローラ・プロセッサ６７５、およびメモリ６４６でありうる。ｅノードＢ６１０はまた、チューニングする手段を含むように構成される。１つの態様では、チューニングする手段は、チューニングする手段によって詳述された機能を実行するように構成されたアンテナ６２０、コントローラ／プロセッサ６７５、および／またはメモリ６７６でありうる。ｅノードＢ６１０はまた、干渉を測定する手段をも含むように構成される。１つの態様では、測定する手段は、測定する手段によって詳述された機能を実行するように構成された受信プロセッサ６７０、アンテナ６２０、コントローラ／プロセッサ６７５、および／またはメモリ６７６でありうる。ｅノードＢ６１０はまた、再チューニングする手段を含むように構成される。１つの態様では、再チューニングする手段は、再チューニングする手段によって詳述された機能を実行するように構成されたアンテナ６２０、コントローラ／プロセッサ６７５、および／またはメモリ６７６でありうる。ｅノードＢ６１０はまた、判定する手段を含むように構成される。１つの態様では、判定する手段は、判定する手段によって詳述された機能を実行するように構成されたコントローラ／プロセッサ６７５および／またはメモリ６７６でありうる。ｅノードＢ６１０はまた、レポートする手段を含むようにも構成される。１つの態様では、レポートする手段は、レポートする手段によって詳述された機能を実行するように構成された送信プロセッサ６１６、送信機６１８、コントローラ／プロセッサ６７５、メモリ６７６、および／またはアンテナ６２０でありうる。別の態様では、前述された手段は、前述された手段によって記載された機能を実行するように構成された任意のモジュールまたは任意の装置でありうる。
【００６８】
図８は、処理システム８０２を適用する装置８０１のハードウェア実装の例を例示する図解である。処理システム８０２は、一般にバス８１２によって表されるバス・アーキテクチャを用いて実現されうる。バス８１２は、全体的な設計制約および処理システム８０２の特定のアプリケーションに依存して、任意の数の相互接続バスおよびブリッジを含みうる。バス８１２は、プロセッサ８０４によって表される１または複数のプロセッサおよび／またはハードウェア・モジュール、モジュール８２０，８２２，８２４，８２６，８２８，８３０およびコンピュータ読取可能な媒体８０６を含むさまざまな回路をともに接続する。バス８１２はさらに、例えば、タイミング・ソース、周辺機器、電圧制御装置、および電力管理回路のようなその他さまざまな回路をリンクしうる。これらは、当該技術分野で良く知られているので、さらなる説明はしない。
【００６９】
この装置は、トランシーバ８１０に接続された処理システム８０２を含む。トランシーバ８１０は、１または複数のアンテナ８０８に接続されている。トランシーバ８１０は、送信媒体を介したその他さまざまな装置との通信を可能にする。処理システム８０２は、コンピュータ読取可能な媒体８０６に接続されたプロセッサ８０４を含む。プロセッサ８０４は、コンピュータ読取可能な媒体８０６に格納されたソフトウェアの実行を含む一般的な処理を担当する。ソフトウェアは、プロセッサ８０４によって実行された場合、処理システム８０２に対して、任意の特定の装置のために記述されたさまざまな機能を実行させる。コンピュータ読取可能な媒体８０６はまた、ソフトウェアが実行されている場合に、プロセッサ８０４によって操作されるデータを格納するためにも使用されうる。
【００７０】
処理システム８０２は、通信モジュール８２０、チューニング・モジュール８２２、測定モジュール８２４、再チューニング・モジュール８２６、およびレポート・モジュール８２８を含んでいる。通信モジュール８２０は、第１のチャネルで基地局と通信しうる。チューニング・モジュール８２２は、基地局が第２のチャネルまたは第３のチャネルへチューニングするのと同時に、第２のチャネルへチューニングしうる。測定モジュール８２４は、第２のチャネルにおける干渉を測定しうる。再チューニング・モジュール８２６は、基地局が第１のチャネルへ再チューニングするのと同時に第１のチャネルへ再チューニングしうる。レポート・モジュール８２８は、基地局へチャネル品質をレポートしうる。さらに、オプションの態様では、処理システム８０２は、干渉レベルに基づいてチャネル品質を判定する判定モジュール８３０を含んでいる。これらモジュールは、プロセッサ８０４で動作するソフトウェア・モジュールでありうるか、コンピュータ読取可能な媒体８０６に常駐／格納されうるか、プロセッサ８０４に接続された１または複数のハードウェア・モジュールでありうるか、これらのある組み合わせでありうる。処理システム８０２は、ＵＥ６５０の構成要素でありうる。そして、メモリ６６０、送信プロセッサ６６８、受信プロセッサ６５６、変調器／復調器６５４ａ−ｒ、アンテナ６５２、および／または、コントローラ／プロセッサ６５９を含みうる。
【００７１】
図９は、処理システム９０２を適用する装置９０１のハードウェア実装の例を例示する図解である。処理システム９０２は、一般にバス９１２によって表されるバス・アーキテクチャを用いて実現されうる。バス９１２は、全体的な設計制約および処理システム９０２の特定のアプリケーションに依存して、任意の数の相互接続バスおよびブリッジを含みうる。バス９１２は、プロセッサ９０４、モジュール９２０，９２２，９２６，９２８，９３０およびコンピュータ読取可能な媒体９０６によって代表される、１または複数のプロセッサおよび／またはハードウェア・モジュールを含む、さまざまな回路をともに接続する。バス９１２はさらに、例えば、タイミング・ソース、周辺機器、電圧制御装置、および電力管理回路のようなその他さまざまな回路をリンクしうる。これらは、当該技術分野で良く知られているので、さらなる説明はしない。
【００７２】
この処理システム９０２は、トランシーバ９１０に接続されている。トランシーバ９１０は、１または複数のアンテナ９０８に接続されている。トランシーバ９１０は、送信媒体を介してその他さまざまな装置と通信することを可能にする。処理システム９０２は、コンピュータ読取可能な媒体９０６に接続されたプロセッサ９０４を含む。プロセッサ９０４は、コンピュータ読取可能な媒体９０６に格納されたソフトウェアの実行を含む一般的な処理を担当する。ソフトウェアは、プロセッサ９０４によって実行された場合、処理システム９０２に対して、任意の特定の装置のために記述されたさまざまな機能を実行させる。コンピュータ読取可能な媒体９０６はまた、ソフトウェアが実行されている場合に、プロセッサ９０４によって操作されるデータを格納するためにも使用されうる。
【００７３】
処理システム９０２は、通信モジュール９２０、チューニング・モジュール９２２、測定モジュール９２６、再チューニング・モジュール９２８、およびイネーブル・モジュール９３０を含んでいる。通信モジュール９２０は、第１のチャネルでＵＥと通信しうる。チューニング・モジュール９２２は、ＵＥが第２のチャネルへチューニングするのと同時に第２のチャネルへチューニングしうる。測定モジュール９２６は、第２のチャネルの信号強度を測定しうる。再チューニング・モジュール９２８は、ＵＥが第１のチャネルへ再チューニングするのと同時に第１のチャネルへ再チューニングしうる。イネーブル・モジュール９３０は、第２のチャネルの信号強度に基づいて、チャネル選択を可能にしうる。これらモジュールは、プロセッサ９０４において動作するソフトウェア・モジュールでありうるか、コンピュータ読取可能な媒体９０６に常駐／格納されうるか、プロセッサ９０４に接続された１または複数のハードウェア・モジュールであるか、またはこれらのいくつかの組み合わせでありうる。処理システム９０２は、基地局６１０の構成要素でありうる。そして、メモリ６７６、送信プロセッサ６１６、受信プロセッサ６７０、変調器／復調器６１８、アンテナ６２０、および／または、コントローラ／プロセッサ６７５を含みうる。
【００７４】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７５】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７６】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７７】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７８】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］
無線通信の方法であって、
基地局と第１のチャネルで通信することと、
前記基地局が第２のチャネルまたは第３のチャネルのうちの少なくとも１つにチューニングすることと同時に前記第２のチャネルへチューニングすることと、
前記第２のチャネルにおける干渉を測定することと、
前記基地局が前記第１のチャネルに再チューニングすることと同時に、前記第１のチャネルへ再チューニングすることと、
チャネル選択を可能にするために、前記干渉に基づいて、前記基地局へチャネル品質をレポートすることと、を備える方法。
［発明２］
前記干渉に基づいて、通信のために前記第２のチャネルを選択すること、をさらに備える発明１に記載の方法。
［発明３］
前記チューニングすることは、時間およびチャネルを示す、予め合意されたホップ・パターンにしたがって生じる、発明１に記載の方法。
［発明４］
前記チューニングすることは、送信機と受信機との両方をチューニングすることを備える、発明１に記載の方法。
［発明５］
測定のために、前記第２のチャネルにおいて基準信号を受信すること、をさらに備える発明１に記載の方法。
［発明６］
前記基準信号は、ダウンリンク共通基準信号である、発明５に記載の方法。
［発明７］
前記第２のチャネルの信号強度を測定すること、をさらに備える発明５に記載の方法。
［発明８］
前記信号強度および干渉に基づいて、通信のために前記第２のチャネルを選択すること、をさらに備える発明７に記載の方法。
［発明９］
前記信号強度を前記基地局へレポートすること、をさらに備える発明７に記載の方法。
［発明１０］
無線通信の方法であって、
基地局と第１のチャネルで通信することと、
第２のチャネルにチューニングすることと、
前記第２のチャネルにおける干渉を測定することと、
前記第１のチャネルへ再チューニングすることと、
前記干渉に基づいてチャネル品質を判定することと、
チャネル選択を可能にするために、前記基地局へ前記チャネル品質をレポートすることと、を備える方法。
［発明１１］
前記第１のチャネルまたは第２のチャネルのうちの少なくとも１つは、ホワイト・スペース・チャネルまたは許可された共有アクセス・チャネルを含む、発明１０に記載の方法。
［発明１２］
無線通信の方法であって、
ユーザ機器（ＵＥ）と第１のチャネルで通信することと、
前記ＵＥが第２のチャネルにチューニングすることと同時に、前記第２のチャネルへチューニングすることと、
前記第２のチャネルの信号強度を測定することと、
前記ＵＥが前記第１のチャネルに再チューニングすることと同時に、前記第１のチャネルへ再チューニングすることと、
前記第２のチャネルの信号強度に基づいてチャネル選択を可能にすることと、を備える方法。
［発明１３］
前記第２のチャネルの信号強度を測定するために、前記第２のチャネルにおいて基準信号を受信すること、さらに備える発明１２に記載の方法。
［発明１４］
無線通信のための装置であって、
メモリと、
前記メモリに接続された少なくとも１つのプロセッサとを備え、
前記少なくとも１つのプロセッサは、
基地局と第１のチャネルで通信し、
前記基地局が第２のチャネルまたは第３のチャネルのうちの少なくとも１つにチューニングすることと同時に、前記第２のチャネルへチューニングし、
前記第２のチャネルにおける干渉を測定し、
前記基地局が前記第１のチャネルに再チューニングすることと同時に、前記第１のチャネルへ再チューニングし、
チャネル選択を可能にするために、前記干渉に基づいて、前記基地局へチャネル品質をレポートするように構成された、装置。
［発明１５］
前記少なくとも１つのプロセッサはさらに、前記干渉に基づいて、通信のために前記第２のチャネルを選択するように構成された、発明１４に記載の装置。
［発明１６］
前記少なくとも１つのプロセッサはさらに、時間およびチャネルを示す、予め合意されたホップ・パターンにしたがってチューニングするように構成された、発明１４に記載の装置。
［発明１７］
前記少なくとも１つのプロセッサはさらに、送信機と受信機との両方をチューニングするように構成された、発明１４に記載の装置。
［発明１８］
前記少なくとも１つのプロセッサはさらに、測定のために前記第２のチャネルにおいて基準信号を受信するように構成された、発明１４に記載の装置。
［発明１９］
前記基準信号は、ダウンリンク共通基準信号である、発明１８に記載の装置。
［発明２０］
前記少なくとも１つのプロセッサはさらに、前記第２のチャネルの信号強度を測定するように構成された、発明１８に記載の装置。
［発明２１］
前記少なくとも１つのプロセッサはさらに、前記信号強度および干渉に基づいて、通信のために前記第２のチャネルを選択するように構成された、発明２０に記載の装置。
［発明２２］
前記少なくとも１つのプロセッサはさらに、前記信号強度を前記基地局へレポートするように構成された、発明２０に記載の装置。
［発明２３］
無線通信のための装置であって、
メモリと、
前記メモリに接続された少なくとも１つのプロセッサとを備え、
前記少なくとも１つのプロセッサは、
基地局と第１のチャネルで通信し、
第２のチャネルにチューニングし、
前記第２のチャネルにおける干渉を測定し、
前記第１のチャネルへ再チューニングし、
前記干渉に基づいてチャネル品質を判定し、
チャネル選択を可能にするために、前記基地局へ前記チャネル品質をレポートするように構成された、装置。
［発明２４］
前記第１のチャネルまたは第２のチャネルのうちの少なくとも１つは、ホワイト・スペース・チャネルまたは許可された共有アクセス・チャネルを含む、発明２３に記載の装置。
［発明２５］
前記少なくとも１つのプロセッサはさらに、前記第２のチャネルの信号強度を測定するために、前記第２のチャネルにおいて基準信号を受信するように構成された、発明２３に記載の装置。
［発明２６］
無線通信のための装置であって、
メモリと、
前記メモリに接続された少なくとも１つのプロセッサとを備え、
前記少なくとも１つのプロセッサは、
ユーザ機器（ＵＥ）と第１のチャネルで通信し、
前記ＵＥが第２のチャネルにチューニングすることと同時に、前記第２のチャネルへチューニングし、
前記第２のチャネルの信号強度を測定し、
前記ＵＥが前記第１のチャネルに再チューニングすることと同時に、前記第１のチャネルへ再チューニングし、
前記第２のチャネルの信号強度に基づいてチャネル選択を可能にするように構成された、装置。
［発明２７］
無線ネットワークにおける無線通信のためのコンピュータ・プログラム製品であって、
記録されたプログラム・コードを有する非一時的なコンピュータ読取可能な媒体を備え、前記プログラム・コードは、
基地局と第１のチャネルで通信するためのプログラム・コードと、
前記基地局が第２のチャネルまたは第３のチャネルのうちの少なくとも１つにチューニングすることと同時に、前記第２のチャネルへチューニングするためのプログラム・コードと、
前記第２のチャネルにおける干渉を測定するためのプログラム・コードと、
前記基地局が前記第１のチャネルに再チューニングすることと同時に、前記第１のチャネルへ再チューニングするためのプログラム・コードと、
チャネル選択を可能にするために、前記干渉に基づいて、前記基地局へチャネル品質をレポートするするためのプログラム・コードとを備える、コンピュータ・プログラム製品。
［発明２８］
無線ネットワークにおける無線通信のためのコンピュータ・プログラム製品であって、
記録されたプログラム・コードを有する非一時的なコンピュータ読取可能な媒体を備え、前記プログラム・コードは、
基地局と第１のチャネルで通信するためのプログラム・コードと、
第２のチャネルにチューニングするためのプログラム・コードと、
前記第２のチャネルにおける干渉を測定するためのプログラム・コードと、
前記第１のチャネルへ再チューニングするためのプログラム・コードと、
前記干渉に基づいてチャネル品質を判定するためのプログラム・コードと、
チャネル選択を可能にするために、前記基地局へ前記チャネル品質をレポートするためのプログラム・コードとを備える、コンピュータ・プログラム製品。
［発明２９］
無線ネットワークにおける無線通信のためのコンピュータ・プログラム製品であって、
記録されたプログラム・コードを有する非一時的なコンピュータ読取可能な媒体を備え、前記プログラム・コードは、
ユーザ機器（ＵＥ）と第１のチャネルで通信するためのプログラム・コードと、
前記ＵＥが第２のチャネルにチューニングすることと同時に、前記第２のチャネルへチューニングするためのプログラム・コードと、
前記第２のチャネルの信号強度を測定するためのプログラム・コードと、
前記ＵＥが前記第１のチャネルに再チューニングすることと同時に、前記第１のチャネルへ再チューニングするためのプログラム・コードと、
前記第２のチャネルの信号強度に基づいてチャネル選択を可能にするためのプログラム・コードとを備える、コンピュータ・プログラム製品。
［発明３０］
無線通信のための装置であって、
基地局と第１のチャネルで通信する手段と、
前記基地局が第２のチャネルまたは第３のチャネルのうちの少なくとも１つにチューニングすることと同時に前記第２のチャネルへチューニングする手段と、
前記第２のチャネルにおける干渉を測定する手段と、
前記基地局が前記第１のチャネルに再チューニングすることと同時に、前記第１のチャネルへ再チューニングする手段と、
チャネル選択を可能にするために、前記干渉に基づいて、前記基地局へチャネル品質をレポートする手段と、を備える装置。
［発明３１］
無線通信のための装置であって、
基地局と第１のチャネルで通信する手段と、
第２のチャネルにチューニングする手段と、
前記第２のチャネルにおける干渉を測定する手段と、
前記第１のチャネルへ再チューニングする手段と、
前記干渉に基づいてチャネル品質を判定する手段と、
チャネル選択を可能にするために、前記基地局へ前記チャネル品質をレポートする手段と、を備える装置。
［発明３２］
無線通信のための装置であって、
ユーザ機器（ＵＥ）と第１のチャネルで通信する手段と、
前記ＵＥが第２のチャネルにチューニングすることと同時に、前記第２のチャネルへチューニングする手段と、
前記第２のチャネルの信号強度を測定する手段と、
前記ＵＥが前記第１のチャネルに再チューニングすることと同時に、前記第１のチャネルへ再チューニングする手段と、
前記第２のチャネルの信号強度に基づいてチャネル選択を可能にする手段と、を備える装置。
【図１】
0005676052.tif 000002
【図２】
0005676052.tif 000003
【図３】
0005676052.tif 000004
【図４】
0005676052.tif 000005
【図５】
0005676052.tif 000006
【図６】
0005676052.tif 000007
【図７Ａ】
0005676052.tif 000008
【図７Ｂ】
0005676052.tif 000009
【図７Ｃ】
0005676052.tif 000010
【図８】
0005676052.tif 000011
【図９】
0005676052.tif 000012